(57)【要約】【課題】動圧流体軸受を用いたスピンドルモーターを備えた磁気ディスク装置において、磁気ディスク装置を低温状態および低供給電圧の状態で起動するに際して、特別な加熱手段等を使用することなく、ホストシステムの要求する時間の範囲内でＲＥＡＤＹを返すことのできる磁気ディスク装置を提供すること。【解決手段】磁気ディスク装置は，低温状態および低供給電圧状態で起動する際において、スピンドルモーターが定格回転に達した後、ＨＳＡ５０を磁気ディスク１１上にロードする前に、ホスト１５０がタイムアウトとならない範囲内で待ち時間を設け、その待ち時間におけるスピンドルモーター３０の回転によりスピンドルモーター自体を温め、潤滑流体の粘度を下げることにより、ＳＰＭドライバ１１１について十分な電圧マージンを確保することができる。【選択図】図８
2008065909.tif 000002
【特許請求の範囲】
【請求項１】
磁気ディスク装置であって、
前記磁気ディスク装置は動圧流体軸受を使用したスピンドルモーターと、  
前記スピンドルモーターの回転数を検出する回転数検出部と、
前記磁気ディスク装置のおかれた環境温度を測定する温度測定部を有し、
前記磁気ディスク装置の起動の際に、スピンドルモーターが定格回転に達した後、ＲＥＡＤＹを返す前の期間に、
前記温度測定部により測定された前記環境温度に応じて設定された待ち時間を挿入することを特徴とする磁気ディスク装置。
【請求項２】
請求項１記載の磁気ディスク装置において、
ロード・アンロード機構を有し、
前記磁気ディスク装置の起動の際に、スピンドルモーターが定格回転に達した後、ヘッド・スタック・アセンブリのロードを開始する前の期間に、
前記温度測定部により測定された前記環境温度に応じて設定された待ち時間を挿入することを特徴とする磁気ディスク装置。
【請求項３】
請求項１記載の磁気ディスク装置において、
前記磁気ディスク装置に供給される電圧を測定する電圧測定部を有し、
前記温度測定部により測定された前記環境温度と前記電圧測定部により測定された前記電圧の組合せに応じて設定された待ち時間を挿入することを特徴とする磁気ディスク装置。
【請求項４】
請求項２記載の磁気ディスク装置において、
前記磁気ディスク装置に供給される電圧を測定する電圧測定部を有し、
前記温度測定部により測定された前記環境温度と前記電圧測定部により測定された前記電圧の組合せに応じて設定された待ち時間を挿入することを特徴とする磁気ディスク装置。
【請求項５】
磁気ディスク装置であって、
前記磁気ディスク装置は動圧流体軸受を使用したスピンドルモーターと、
前記スピンドルモーターの回転数を検出する回転数検出部と、
前記磁気ディスク装置の起動からの経過時間を測定する時間測定部と、
前記時間測定部により測定された時間と前記回転数検出部から検出されたスピンドルモーターの回転数から単位時間当たりの回転数の上昇率を算出する回転数上昇率演算部を有し、
前記磁気ディスク装置の起動の際に、スピンドルモーターが定格回転に達した後、ＲＥＡＤＹを返す前の期間に、
前記回転数上昇演算部により算出された回転数上昇率に応じて設定された待ち時間を挿入することを特徴とする磁気ディスク装置。
【請求項６】
請求項５記載の磁気ディスク装置において、
ロード・アンロード機構を有し、
前記磁気ディスク装置の起動時に、スピンドルモーターが定格回転に達した後、ヘッド・スタック・アセンブリのロードを開始する前の期間に、
前記回転数上昇演算部により算出された回転数上昇率に応じて設定された待ち時間を挿入することを特徴とする磁気ディスク装置。
【請求項７】
請求項５記載の磁気ディスク装置において、
前記磁気ディスク装置のおかれた環境温度を測定する温度測定部を有し、
前記温度測定部により測定された前記環境温度と前記回転数上昇演算部により算出された回転数上昇率の組合せに応じて設定された待ち時間を挿入することを特徴とする磁気ディスク装置。
【請求項８】
請求項６記載の磁気ディスク装置において、
前記磁気ディスク装置のおかれた環境温度を測定する温度測定部を有し、
前記温度測定部により測定された前記環境温度と前記回転数上昇演算部により算出された回転数上昇率の組合せに応じて設定された待ち時間を挿入することを特徴とする磁気ディスク装置。
【請求項９】
請求項５記載の磁気ディスク装置において、
前記磁気ディスク装置のおかれた環境温度を測定する温度測定部と、
前記磁気ディスク装置に供給される電圧を測定する電圧測定部を有し、
前記温度測定部により測定された前記環境温度と前記電圧測定部により測定された前記電圧と前記回転数上昇演算部により算出された回転数上昇率の組合せに応じて設定された待ち時間を挿入することを特徴とする磁気ディスク装置。
【請求項１０】
請求項６記載の磁気ディスク装置において、
前記磁気ディスク装置のおかれた環境温度を測定する温度測定部と、
前記磁気ディスク装置に供給される電圧を測定する電圧測定部を有し、
前記温度測定部により測定された前記環境温度と前記電圧測定部により測定された前記電圧と前記回転数上昇演算部により算出された回転数上昇率の組合せに応じて設定された待ち時間を挿入することを特徴とする磁気ディスク装置。
【請求項１１】
磁気ディスク装置の起動時に、磁気ディスク上のリーザブエリアにあるデータを読み取る際のスピンドルモーターの回転精度が、前記磁気ディスク装置がＲＥＡＤＹになった後ユーザーデータを読み取る際のスピンドルモーターの回転精度より低いことを特徴とする磁気ディスク装置。
【請求項１２】
請求項１１記載の磁気ディスク装置は、
ロード・アンロード機構を有することを特徴とする磁気ディスク装置。
【請求項１３】
前記磁気ディスク装置は、
当該磁気ディスク装置の起動時に、磁気ディスク上のリーザブエリアにあるデータを読み取る際のスピンドルモーターの回転精度が、前記磁気ディスク装置がＲＥＡＤＹになった後ユーザーデータを読み取る際のスピンドルモーターの回転精度より低いことを特徴とする請求項１乃至１０のいずれかに記載の磁気ディスク装置。
【発明の詳細な説明】
【技術分野】
【０００１】
本発明は、動圧流体軸受スピンドルモーターを用いた磁気ディスク装置に関し、さらに詳細には、磁気ディスク装置の起動方法に関する。
【背景技術】
【０００２】
動圧流体軸受装置は、ボールベアリングと比較して、非繰返し回転誤差（ノンリピータブルランアウト  ＮＲＲＯ）が小さく、さらに高速回転に適するという特徴を有するためビデオテープレコーダーのシリンダー軸受けなどに使用されてきている。一方、磁気ディスク装置は近年の磁気記録密度の増大に伴いボールベアリングを使用した従来のスピンドルモーターでは回転精度が足りなくなってきており、動圧流体軸受を使用したスピンドルモーターへの移行が進行している。動圧流体軸受はその動作時においてボールベアリングのように固体接触する部分が無いので動作音が静かであるという特徴も合わせて有している。
【０００３】
磁気ディスク装置は、ＤＶＤレコーダーに内蔵されるなど近年においては、家庭用電気製品の分野でも広く使用が開始されている。家庭用電気製品の分野では、特に製品の稼動時の動作音を低く抑えることが求められており、動圧流体軸受を用いたスピンドルモーターを備えた磁気ディスク装置の使用が急速に拡大している。また、同様の理由でコンピュータの外部記憶装置としての使用についても、ノート型やデスクトップ型パーソナルコンピュータ、さらには、ＲＡＩＤ装置において動圧流体軸受スピンドルモーターを備えた磁気ディスク装置の使用が拡大している。
【０００４】
一般に、動圧流体軸受装置は回転部材と静止部材からなる。静止部材は，スラスト流体軸受部とラジアル流体軸受部とを有しており、回転部材と静止部材の間に潤滑流体が保持される。スピンドルモーターの回転時には、スラスト流体軸受部とラジアル流体軸受部に形成されたＶ字状、Ｕ字状、ヘリンボーン形状などの溝を通じて潤滑流体が移動し、そのポンプ作用により動圧が発生する。これにより回転部材は静止部材から浮上し、非接触状態に保たれる。
【０００５】
動圧流体軸受スピンドルモーターの回転時の摩擦抵抗は主に潤滑流体の粘度により生じる。一般に、潤滑流体の粘度は温度依存性が高い。特に低温時においては粘度が顕著に上昇するため、必要な起動トルクが大きくなり、スピンドルモーター駆動系において常温時と同等の電圧マージンを確保することができなくなる場合がある。そのため、定格回転数に達するのに時間がかかったり、定格回転数まで上がりきらなかったり、また、回転不良を生じることがある。
【０００６】
また、ロード・アンロード機構を採用する磁気ディスク装置においては、スピンドルモーターの起動は、ヘッド・スタック・アセンブリ（ＨＳＡ）が退避した状態で行われる。その後、スピンドルモーターが定格回転数に達すると、ＨＳＡを回転するディスク上にロードすることになる。その際、ＨＳＡのロードに伴いドラッグトルクが発生し、スピンドルモーターにとってさらなる負荷となる。
【０００７】
そこで、低温時における、スピンドルモーター起動時の負荷を低減するために、潤滑流体の粘度を下げる方法が必要となり、従来技術として以下のような対策が講じられてきている。
【０００８】
特許文献１には、低温動作環境での回転負荷の増大を抑制するために、スピンドルモーターのコイルに過電流を流すことによりスピンドルモーターを温め、潤滑流体の粘度を下げることが開示されている。
【０００９】
特許文献２には、磁気トランスデューサの低温時の書込み特性を確保するためにスピンドルモーターが定格回転に達する前から磁気トランスデューサを予熱するため通電しておくことが開示されており、定格回転に達した後で磁気トランスデューサを予熱するために通電する一定の時間を経てからＨＳＡをロードするシーケンスが例示されている。
【００１０】
【特許文献１】特開２０００−２２４８９１号公報
【特許文献２】特開２００６−１３４３７７号公報
【発明の開示】
【発明が解決しようとする課題】
【００１１】
近年、スピンドルモーターを有した磁気ディスク装置がノート型やデスクトップ型パーソナルコンピュータに搭載される例が増大している。さらに、大型コンピュータシステムの外部記憶装置としてＲＡＩＤを構成して使用される機会も増えてきている。これにより、磁気ディスク装置は様々な使用環境において動作することが求められており、特に動作温度範囲の拡張の要望が強くなっている。具体的には、５℃から５５℃であった動作温度範囲が０℃から６０℃の動作温度範囲に拡張されてきている。
【００１２】
一方、磁気ディスク装置に供給される電源電圧にも許容範囲があり、一般に、基準供給電圧±１０パーセント乃至±５パーセント程度の変動が許容され、スペック化されている。
【００１３】
５℃から０℃へ動作温度が変更されると、動圧流体軸受スピンドルモーターの潤滑流体の粘度は温度依存性が高いために、潤滑流体の粘度が顕著に上昇してしまう。特に、磁気ディスク装置を０℃の雰囲気に電源オフの状態で長時間放置した後で起動しようとすると、潤滑流体の粘度の上昇により回転負荷が増大しているため、例えば、供給電圧が−１０パーセント（１２Ｖに対して１０．８Ｖ）であった場合においては、スピンドルモーター駆動系の電圧マージンを失うことになり、定格回転に達することができないという問題が起こることがある。
【００１４】
また、磁気ヘッドをディスク上にロード・アンロードする機構を採用している磁気ディスク装置においては、磁気トランスデューサを備えたＨＳＡがアンロードされた状態でスピンドルモーターが起動され、定格回転に達した後で回転する磁気ディスク上にヘッドスライダがロードされる。ヘッドスライダがロードされるときは、ヘッドスライダを保持するＨＳＡを構成するキャリッジのアームの一部分が回転する磁気ディスク表面に相対する状態となるため、ドラッグトルクが発生し、スピンドルモーターの回転負荷がさらに増大する。このため、スピンドルモーター駆動系が、ＨＳＡをロードする際の負荷の増大に対応できなければ、スピンドルモーターは定格回転を維持することができなくなる。すなわち、ロード状態ではさらに電圧マージンを失うことになり、アンロード状態では定格回転していても、ロード状態で回転不良を生じることがある。ヘッドスライダをロードした状態でスピンドルモーターが定格回転して、はじめて磁気ディスク装置は使用可能状態（ＲＥＡＤＹ）となることができる。ＲＥＡＤＹにならなければ磁気ディスク装置が接続されている上位のホストシステムに応答することができない。
【００１５】
一方、磁気ディスク装置をデータ記憶装置として使用するパーソナルコンピュータなどのホストシステムにおいてはホストシステムの電源を入れてから磁気ディスク装置がＲＥＡＤＹになるまでの時間が決められている。磁気ディスク装置でスピンドルモーターが定格回転に達するまでに時間がかかるなどして、ホストシステムの設定する時間内にＲＥＡＤＹを返すことができなければタイムアウトのエラーとなってしまう。そのため、磁気ディスク装置においては、電源ＯＮされてからＲＥＡＤＹになるまでの時間がスペック化されている。
【００１６】
上記の特許文献１においては、スピンドルモーターを温めて、潤滑流体の粘度を下げるために、過電流をコイルに流すことが開示されているが、そもそも電圧マージンを失っている当該状況において過電流を流すことは難しい。また、ロードの際のスピンドルモーターへの負荷の増大に対しては言及されていない。
【００１７】
上記の特許文献２においては、スピンドルモーターが定格回転に達した後で一定時間後にＨＳＡをロードすることが例示されているが、磁気トランスデューサの予熱に要する時間は数百ミリ秒と短いため、当該スピンドルモーターの潤滑流体を温める効果は期待できない。
【００１８】
本発明は、上記の問題に鑑みてなされたもので、磁気ディスク装置を低温状態および低供給電圧の状態で起動するに際して、特別な加熱手段等を使用することなく、ホストシステムの要求する時間の範囲内でＲＥＡＤＹを返すことのできる磁気ディスク装置を提供することを目的とする。
【課題を解決するための手段】
【００１９】
上記課題を解決するために、本発明に係る磁気ディスク装置は，低温状態で起動する際において、磁気ヘッドをディスク上にロードする前に、ホストがタイムアウトとならない範囲内で待ち時間を設け、その待ち時間におけるスピンドルモーターの回転によりスピンドルモーター自体を暖め、潤滑流体の粘度を低下させることにより、十分な電圧マージンを確保することができる。
【００２０】
磁気ディスク装置が置かれた環境温度は、磁気ディスク装置自体に搭載された温度センサにより知ることができる。環境温度により待ち時間を設ける必要性の有無を判断したり、待ち時間の長さを調整することもできる。
【００２１】
また、磁気ディスク装置はホストから供給されている電圧を知ることができる。低温時に加えて、さらに供給電圧が低い場合には、スピンドルモーター駆動系の電圧マージンを確保することが難しいので、環境温度と供給電圧の組合せで、上記待ち時間を設ける必要性の有無を判断したり、待ち時間の長さを調整することもできる。
【００２２】
さらには、低温時に加えて、供給電圧が低い場合など、スピンドルモーター駆動系の電圧マージンを確保することが難しい場合は、起動からの時間に対するスピンドルモーターの回転上昇カーブの傾きが緩やかになってくる。そこで、環境温度や供給電圧の組合せに替えて、スピンドルモーターの回転上昇カーブの傾き（回転上昇率）に応じて、上記待ち時間を設ける必要性の有無を判断したり、待ち時間の長さを調整することもできる。
【００２３】
なお、一般に磁気ディスク装置は起動時にリザーブエリア（システム情報が書き込まれた領域）を読みに行くが、低温状態に加えて、供給電圧が低い状態ではスピンドルモーターの回転が安定するまでに時間がかかることもあるので、スピンドルモーター起動後ある一定の期間に限ってリザーブエリアを読みに行く際のスピンドルモーター回転精度を緩和することで、ユーザーデータを読み書きする際に必要な定格回転数の規定の範囲内に収まらない状態でもリザーブエリアに書き込まれたデータを読み出すことができ、ＲＥＡＤＹを返すことが可能となる。
【発明の効果】
【００２４】
本発明により、動圧流体軸受スピンドルモーターを用いた磁気ディスク装置が低温状態または低供給電圧状態におかれたときについても、特別なスピンドルモーター加熱機構やスピンドルモーター駆動系を具備することなく、スピンドルモーターが起動して定格回転を維持し、設定された時間内にＲＥＡＤＹとなる磁気ディスク装置を提供することができる。
【発明を実施するための最良の形態】
【００２５】
以下に、本発明を適用可能な実施の形態を説明する。以下の説明は、本発明の実施形態を説明するものであり、本発明が以下の実施形態に限定されるものではない。説明の明確化のため、以下の記載及び図面は、適宜、省略及び簡略化がなされている。又、当業者であれば、以下の実施形態の各要素を、本発明の範囲において容易に変更、追加、変換することが可能である。なお、各図面において、同一要素には同一の符号が付されており、説明の明確化のため、必要に応じて重複説明は省略されている。
【００２６】
本実施形態の特徴点の理解を容易にするため、最初に、磁気ディスク装置の全体構成の概略を説明する。
【００２７】
図１は、本実施の形態に係る磁気ディスク装置１０の分解斜視図である。磁気ディスク１１は、データを記憶するメディアであって、磁性層が磁化されることによってデータを記録する不揮発性の記録ディスクである。ベース１２は、ガスケット（不図示）を介してベース１２の上部開口を塞ぐカバー１３と固定される。これによりディスク・エンクロージャ２０（図４）が構成され、磁気ディスク装置１０の各構成要素を密閉状態で収容することができる。３０は、ベース１２の一部として組み付けられているスピンドルモーターである。磁気ディスク１１は、スペーサー１５を挟んだ状態で、クランプ１４によりスピンドルモーター３０に固定される。磁気ディスク１１は、スピンドルモーター３０により所定の角速度（速さ）で回転駆動される。磁気ディスク装置１０の非動作時には、磁気ディスク１１は静止している。５０は、ヘッド・ジンバル・アセンブリ（ＨＧＡ）４０（図２）を、保持、移動するヘッド・スタック・アセンブリ（ＨＳＡ）である。ＨＳＡ５０は、ベアリングで構成された回転軸を有するピボットアセンブリ５１に揺動自在に保持されている。５３は，ボイス・コイル・モータ（ＶＣＭ）である。５７は、磁気ディスク１１の回転が停止するときに、ヘッドスライダ４１（図２）を磁気ディスク１１の面上からから退避させるためのランプである。
【００２８】
図２は、カバーを取り除いた状態の磁気ディスク装置の平面図で、ＨＳＡ５０が停止時（ＨＳＡ５０がアンロードした状態）における磁気ディスク装置１０を示している。ＨＳＡ５０の構成が理解できるようにＶＣＭ５３の上側ヨークをはずした状態を示している。
【００２９】
４０は、ホスト１５０（図４）との間で入出力されるデータについて、磁気ディスク１１への書き込み・読み出しを行う磁気トランスデューサ（不図示）を具備したＨＧＡである。磁気トランスデューサには、磁気ディスク１１への記録データに応じて電気信号を磁界に変換する記録素子、及び、磁気ディスク１１からの磁界を電気信号に変換する再生素子が一体的に形成されている。なお、記録素子と再生素子を別に形成することも可能である。また、記録素子と再生素子のいずれか一方のみを有する磁気ディスク装置に本発明を適用することも可能である。磁気トランスデューサは、ヘッドスライダ４１の側面に形成されており、ヘッドスライダ４１、サスペンション４２に組み付けられてＨＧＡ４０を構成する。
【００３０】
上記電気信号は、ＨＳＡ５０に取付けられたフレキシブルケーブル４５上に形成された信号伝送経路を通じて送られる。フレキシブルケーブル４５の一部には温度センサ４６（図４）が搭載されており、ディスク・エンクロージャ２０内の温度を知ることができる。
【００３１】
前述のＨＳＡ５０は、キャリッジ５２と駆動機構としてボイス・コイル・モータ（ＶＣＭ）５３とを備えている。キャリッジ５２は、ヘッドスライダ４１が配置されたその先端部から、ＨＧＡ４０、アーム５４及びコイルサポート５５の順で結合された各構成部材を備えている。サスペンション４２は、磁気ディスク１１と対向する側に設けられたディンプル（不図示）によって、ヘッドスライダ４１を一点支持している。
【００３２】
コイルサポート５５は、フラットコイル５６を保持している。フラットコイル５６はＶＣＭ５３に取付けられたマグネットの間に挟み込まれるように組み付けられる。
【００３３】
サスペンション４２の先端部にはタブ（不図示）が形成されており、タブがランプ５７に乗り上げることにより、ヘッドスライダ４１を磁気ディスク１１から引き離す。ランプ５７は、磁気ディスク１１の外周端部に近接し、ベース１２の底面あるいは側面に取り付けられている。
【００３４】
ＶＣＭ５３は、ＶＣＭドライバ１１２（図４）からフラットコイル５６に流される駆動信号に応じて、ピボットアセンブリ５１を中心としてＨＳＡ５０を揺動し、磁気ディスク１１の記録面上にヘッドスライダ４１を移動する、もしくは、磁気ディスク１１の記録面上からランプ５７にヘッドスライダ４１を移動することができる。
【００３５】
磁気ディスク１１に対するデータの読み取り／書き込みのため、ＨＳＡ５０は回転している磁気ディスク１１表面のデータ領域上方にヘッドスライダ４１を移動する。ＨＳＡ５０が揺動することによって、ヘッドスライダ４１が磁気ディスク１１の記録面の半径方向を移動する。これによって、ヘッドスライダ４１を磁気ディスク１１上の所望のトラックに位置決めすることができる。ヘッドスライダ４１は、磁気ディスク１１に対向するヘッドスライダ４１の浮上面と回転している磁気ディスク１１表面との間の空気の粘性により生じる圧力が、サスペンション４２によって磁気ディスク１１方向に加えられる圧力とバランスすることによって、磁気ディスク１１上に浮上し、一定のスペースを保って飛行している。
【００３６】
磁気ディスク１１の回転が停止すると、ヘッドスライダ４１は浮上を止め、磁気ディスク１１表面に着地するが、その際、ヘッドスライダ４１が磁気ディスク１１に接触すると、磁気ディスク１１のデータ領域を傷つけたり、ヘッドスライダ４１表面と磁気ディスク１１表面との間の吸着現象によって磁気ディスク１１が回転不能になるなどの問題が起こる。このため、磁気ディスク１１の回転が停止するときには、ＨＳＡ５０を移動させ、ヘッドスライダ４１をデータ領域からランプ５７の上に退避させる（アンロード）。すなわち、ＨＳＡ５０がランプ５７の方向に回動し、サスペンション４２の先端のタブがランプ５７の表面上を摺動しながら移動し、ランプ５７上のパーキング面（停止面）に載ることにより、ヘッドスライダ４１が磁気ディスク１１上からアンロードされる。ロードのときには、パーキング面に支持されていたＨＳＡ５０は、ランプ５７から離脱して磁気ディスク１１表面上に移動する。
【００３７】
ここで、磁気ディスク１１は、１枚又は複数枚からなり、また片面又は両面記録のいずれであってもよい。両面記録のときは各記録面を走査するヘッドスライダ４１を保持するサスペンション４２を記録面に対応する数だけ用意し、磁気ディスク１１に対して、一方のサスペンション４２と所定の間隔をおいて重なる位置でアーム５４を介してコイルサポート５５に固定する。また、複数枚の磁気ディスクを両面記録する場合には、クランプ１４によってスピンドルモーター３０の回転軸方向にスペーサー１５を介して所定の間隔で複数枚の磁気ディスクを一体的に保持する。それぞれ各記録面を走査するヘッドスライダ４１を保持するサスペンション４２を記録面の数だけ用意し、サスペンション４２と所定の間隔をおいて重なる位置で固定する。この場合、サスペンション４２とアーム５４を一体化したものを積層し、コイルサポート５５と共にピボットアセンブリ５１に固定してもよいし、アーム５４をヘッドスライダの数だけ備えた部品を鋳造で作り、そこにサスペンション４２とコイルサポート５５とを固定してもよい。
【００３８】
図３は、本実施の形態にかかる磁気ディスク装置１０に使用される動圧流体軸受を用いたスピンドルモーター３０の断面図である。図３（ａ）および（ｂ）は軸回転型のスピンドルモーターである。スピンドルモーター３０は、動圧流体軸受装置を有する。動圧流体軸受装置は、静止部材と回転部材とから成り、回転部材である回転軸３６は静止部材であるハウジング３５に組込まれている。回転部材と静止部材の間には潤滑流体が充填される。静止部材であるハウジング３５には流体軸受部が形成されており、スピンドルモーターの回転により生じる動圧により、回転部材である回転軸３６を支持している。
【００３９】
動圧流体軸受装置にはスラスト流体軸受部３１とラジアル流体軸受部３３が形成されている。スラスト流体軸受部３１およびラジアル流体軸受部３３は、溝部と丘部から構成され、軸の回転に伴い、形成された溝を流路として潤滑流体が動圧流体軸受装置内を移動する際に動圧が発生する。一般に、流体軸受部には規則的に溝部と丘部が形成され、円周方向に均一な圧力分布が得られるようにしている。スピンドルモーターが回転するとスラスト流体軸受部３１とラジアル流体軸受部３３に形成された溝を伝って動圧流体軸受装置に充填された潤滑流体が移動し、動圧が発生する。回転中の磁気ディスク１１は、スピンドモーター３０のハブ３４上に搭載されているが、ハブ３４は回転部材である回転軸３６に取り付けられており、従って、動圧流体軸受装置の剛性により支えられている。
【００４０】
スラスト流体軸受部３１は、図３（ａ）に示すように回転軸の下端に設けられたスラストプレート３２に設置する態様と、図３（ｂ）に示すようにスピンドルモーターのハブ３４の裏側に相対する面に設置する態様とがある。また、上述のように図３（ａ）および（ｂ）は軸回転型のスピンドルモーターを示しているが、本発明は、軸固定型のスピンドルモーターにおいても同様に適用することができる。
【００４１】
図４は、磁気ディスク装置１０の構成ブロック図である。磁気ディスク装置１０はホスト１５０と接続され外部記憶装置として使用され、ホスト１５０と磁気ディスク装置１０の間でデータのやりとりが行われる。
【００４２】
ホスト１５０から送られたユーザーデータは、コントローラ１００によって必要な処理がなされ、ライト信号に変換されたあと、ＨＳＡ５０に搭載されたヘッドスライダ４１に形成された磁気トランスデューサ（不図示）に送られる。磁気トランスデューサは、取得したライト信号に応じて、磁気ディスク１１の記録面にデータを書き込む。一方、磁気トランスデューサによって磁気ディスク１１から読み出されたリード信号は、コントローラ１００によってデジタル信号に変換され、必要な処理がなされたあと、ホスト１５０に送られる。
【００４３】
磁気ディスク１１は、磁性層が磁化されることによってデータを記録する不揮発性の記録媒体であり、スピンドルモーター３０のスピンドル軸を中心として所定の速度で回転駆動される。磁気ディスク１１の表面には、データを格納するための区画として同心円状に複数のトラックが形成され、さらに、各トラックは円周方向に区分された複数のデータセクタを備えている。
【００４４】
また、磁気ディスク１１の表面にはサーボサンプリング周波数に応じたサーボ領域が円周方向に沿って複数箇所形成されている。また、サーボ領域と同期してデータセクタが形成されている。サーボ領域は、トラック番号情報を備えるトラック・データ、セクタ番号情報を備えるセクタ・データ、及びバースト・パターンを有している。
【００４５】
コントローラ１００は、リード／ライト・チャンネル１０４、ハードディスク・コントローラ（ＨＤＣ）１０２、マイクロプロセッサ・ユニット（ＭＰＵ）１０１、メモリ１０６、ＡＤコンバータ（ＡＤＣ）１０５、サーボ・コントローラ１０３、モータ・ドライバ・ユニット１１０を有している。モータ・ドライバ・ユニット１１０は、ボイス・コイル・モーター・ドライバ（ＶＣＭドライバ）１１２及びスピンドルモーター・ドライバ（ＳＰＭドライバ）１１１を有している。
【００４６】
リード／ライト・チャンネル１０４は、ホスト１５０から取得したデータについて、ライト処理を実行する。ライト処理において、リード／ライト・チャンネル１０４はＨＤＣ１０２から供給された書き込みデータをコード変調し、さらにコード変調された書き込みデータをライト信号（電流）に変換して磁気トランスデューサに供給する。磁気トランスデューサは、取得した信号に応じてヘッドコイルに電流を流すことによって磁気ディスク１１にデータを書き込む。また、ホスト１５０にデータを供給する際にはリード処理を行う。リード処理において、リード／ライト・チャンネル１０４は磁気トランスデューサから読み出されたリード信号からデータを抽出し、デコード処理を行う。デコード処理されたデータは、ＨＤＣ１０２に供給される。
【００４７】
ＭＰＵ１０１は、メモリ１０６にロードされたマイクロコードに従って動作し、磁気トランスデューサが形成されたヘッドスライダ４１のポジショニング制御、インターフェース制御、ディフェクト管理などの磁気ディスク装置１０の全体の制御のほか、データ処理に関する必要な処理を実行する。磁気ディスク装置１０の起動に伴い、メモリ１０６には、ＭＰＵ１０１上で動作するマイクロコードの他、制御及びデータ処理に必要とされるデータが磁気ディスク１１あるいはＲＯＭ（不図示）からロードされる。
【００４８】
リード／ライト・チャンネル１０４によって読み出されるデジタルデータは、ホスト１５０からのユーザーデータの他に、サーボデータを含んでいる。サーボ・コントローラ１０３はリード／ライト・チャンネル１０４から取得した読み出しデータからサーボデータを抽出する。サーボデータは、トラックデータ、セクタデータ、及びバーストパターンを有している。抽出されたサーボデータは、サーボ・コントローラ１０３からＭＰＵ１０１に転送される。ＭＰＵ１０１は、マイクロコードに従って、サーボデータを使用して磁気トランスデューサが形成されたヘッドスライダ４１の位置決め制御処理を行う。ＭＰＵ１０１からのＶＣＭ制御データはモータ・ドライバ・ユニット１１０のレジスタにセットされる。ＶＣＭドライバ１１２はセットされたＶＣＭ制御データに応じて、駆動電流をＶＣＭ５３に供給し、ＨＳＡ５０を回動駆動する。
【００４９】
ＭＰＵ１０１は、マイクロコードに従って、スピンドルモーター３０の回転制御のために、モータ・ドライバ・ユニット１１０のレジスタにスピンドルモーター制御データをセットする。ＳＰＭドライバ１１１は、セットされたスピンドルモーター制御データに応じて、スピンドルモーター３０の回転制御を実行する。ＳＰＭドライバ１１１は、スピンドルモーター３０を回転するために駆動電流をスピンドルモーター３０に供給する他、最適な回転制御を行うために、ロータの位置検出を行う。ロータ位置検出は、スピンドルモーター３０の起動時及び定格回転時に実行される。
【００５０】
ＡＤコンバータ１０５は電源電圧Ｖｃｃを検出し、電源電圧値を示すアナログ信号をデジタルデータに変換する。電源電圧値を示すデジタルデータは、ＭＰＵ１０１のマイクロコードによる処理に使用される。同様に、ＡＤコンバータ１０５は温度センサ４６からの環境温度を示すアナログ信号をデジタルデータに変換し、環境温度を示すデジタルデータは、ＭＰＵ１０１のマイクロコードによる処理に使用される。
【００５１】
ハードディスク・コントローラ１０２は、ホスト１５０との間のインターフェース機能を備えており、ホスト１５０から伝送されたユーザーデータ及びリード・コマンドやライト・コマンドといったコマンドなどを受信する。受信したユーザーデータは、リード／ライト・チャンネル１０４に転送される。また、リード／ライト・チャンネル１０４から取得した磁気ディスク１１からの読み出しデータを、ホスト１５０に伝送する。ハードディスク・コントローラ１０２は、さらに、ホスト１５０から取得したユーザーデータについて、誤り訂正（ＥＣＣ）のための符号生成処理を実行する。また、磁気ディスク１１から読み出した読み出しデータについて誤り訂正処理を実行する。
【００５２】
図５は、磁気ディスク装置の起動シーケンスを示す。図６（ａ）、（ｂ）に示すように典型的な３相１２極９スロットで構成されるセンサレスＤＣモーターを７２００ｒｐｍで定常回転させる場合について、起動シーケンスの説明をする。３相のモーターコイルは、それぞれＵ相、Ｖ相、Ｗ相と名付けられる。ここで、極数とスロット数の構成の相違および定格回転数の相違は本発明の適応に関して問題とはならない。
【００５３】
磁気ディスク装置１０が電源ＯＮされると、スピンドルモーター起動ルーチンが開始される。当該起動ルーチンは、起動制御モードと回転制御モードから構成される。起動制御モードにおいては、静止した状態からスピンドルモーター３０が正しい回転方向で回転を開始し、定格回転数に対して、ある範囲内に達するまで回転数を上昇させる。一定の条件を満たせば、回転制御モードへ切替わり、定格回転数を維持する制御が行われる。
【００５４】
具体的には、起動制御モードにおいては、まず、スピンドルモーター３０が静止している状態で３相（Ｕ相、Ｖ相、Ｗ相）のうち２相（例えば、Ｕ相およびＶ相）のコイルに電流を流し、残った１相コイル（ここでは、Ｗ相）に生じる誘起電圧を検出することにより、ロータ位置を検出する（Ｓ５０１）。次に、検出された静止状態（ロータとステータの相対位置）に応じて、正しい回転方向で起動できるように各相への通電順序が選択され、駆動電流が供給される（Ｓ５０２）。
【００５５】
また、起動ルーチンが開始されると、ＭＰＵ１０１は、ＡＤコンバータ１０５から、電源電圧の値（Ｖｃｃ）、および、環境温度を知ることができる。
【００５６】
スピンドルモーター３０の回転が開始されても、同様にロータ位置を検出することができるので、一定の位置においてパルスを出力することができ、当該パルスとタイマーを参照することによりスピンドルモーター３０の回転数を知ることができる。起動制御モードにおいては、７２００ｒｐｍに達するまで回転が加速されるが、２８８０ｒｐｍを超えると上記パルスをある周波数に同期させるように制御がされ（ＰＬＬロック）（Ｓ５０３）、その周波数が７２００ｒｐｍ（１２０Ｈｚ）に達するまで順次変更される（ＰＬＬ加速）（Ｓ５０４）。回転数が７２００ｒｐｍ−１パーセントである状態が連続して３回転分持続すると、起動制御モードから回転制御モードへと切替わる（Ｓ５０５）。
【００５７】
回転制御モードでは、ＰＩ制御によるフィーバックコントロールが行われ、回転数が７２００ｒｐｍ±０．１パーセントに維持されるように制御される（Ｓ５０６）。回転数が７２００ｒｐｍ±０．１パーセントである状態が連続して８回転分持続すると、スピンドルモーター３０の回転は安定したものと判断され（Ｓ５０７）、ＨＳＡ５０が回転する磁気ディスク１１上にロードされる（Ｓ５０８）。
【００５８】
ＨＳＡ５０がロードされると、磁気ディスク装置１０は、必要なシステム情報が書き込まれた磁気ディスク上のリザーブドエリアを読みにいく（Ｓ５０９）。データの読み出しに成功し、必要な準備が整った状態になると、磁気ディスク装置１０は、ホスト１５０にＲＥＡＤＹを返すことができる。
【００５９】
ＨＳＡ５０がロードされるときは、アンロードの状態で７２００ｒｐｍで回転する磁気ディスク１１により生じていたディスク・エンクロージャ２０内の定常的な空気の流れが突然乱されることになり、スピンドルモーター３０の回転負荷が急激に増加する。ロードされた後は、ＨＳＡ５０のシルエットが回転する磁気ディスク１１にかかる分だけ回転負荷が増大した状態で定常化する。このＨＳＡ５０のロードによる定常的な負荷の増加分はアンロード時の３割増し程度である。
【００６０】
ＨＳＡ５０のロードの際にも、スピンドルモーター３０の回転数は７２００ｒｐｍ±０．１パーセントに維持されるように制御される。従って、スピンドルモーター駆動系、すなわちＳＰＭドライバ１１１は、ロード時の一時的な負荷の増大とロード後の定常的な負荷の増加分に対応できるだけの余裕を有する必要がある。
【００６１】
図７は、環境温度と動圧流体軸受に使用される潤滑流体の粘度の関係を表している。グラフの縦軸は潤滑流体の粘度、横軸は環境温度を示している。粘度は、環境温度が２０℃を基準として正規化されている。一般に、潤滑流体の粘度は低温になると急激に上昇する。すなわち、低温状態（例えば０℃）に長時間放置された後で、磁気ディスク装置１０を電源ＯＮすると、スピンドルモーター３０中の潤滑流体の粘度は常温状態（例えば２０℃）に比べて２．５倍程度粘度が上がっている。そのため、潤滑流体の粘度の上昇分だけスピンドルモーター３０の回転負荷が増大していることになる。
【００６２】
しかしながら、スピンドルモーター３０が起動して回転することに伴いモーターコイルから発熱するため、潤滑流体は急速に温められ、その粘度も急速に低下する。すなわち、スピンドルモーター３０の回転負荷が急速に減っていくことになる。数秒間でも回転状態が続けば、潤滑流体の粘度は常温状態の約１．５倍程度に納まるようになる。
【００６３】
スピンドルモーター３０が回転すると、そのスピンドルモーターのトルク定数と回転数に応じた逆起電力が生じる。例えば、トルク定数が７．９Ｎｍ／Ａのスピンドルモーターが７２００ｒｐｍで回転すると６Ｖの逆起電力が生じる。そのため、スピンドルモーター駆動系の供給電圧が１２Ｖ、スピンドルモーターのコイル抵抗が２．４オーム、センス抵抗が０．１オーム、回路抵抗が１．５オームであれば、実質スピンドルモーターに流せる電流は１．５Ａである。ここで、供給電圧が１０．８Ｖ（定格電圧１２Ｖの−１０パーセント）であれば、流せる電流は１．２３Ａに低下してしまう。
【００６４】
スピンドルモーター３０を起動し、定格回転に達し、維持するためには、上記で述べてきた、潤滑流体の粘度による回転負荷、および、磁気ディスク１１が回転することにより生じる風損、および、ＨＳＡ５０がロードされることによるドラッグトルク、さらに、ＨＳＡ５０がロードされたことによる風損の増加など、スピンドルモーター３０の回転負荷となるものの総和が、（流せる電流値）ｘ（トルク定数）で求められるトルクの範囲内に納まっている必要がある。
【００６５】
また、範囲内に納まっていたとしてもスピンドルモーター駆動系に余裕（電圧マージン）がなければ、十分なダイナミックレンジを確保することができず、負荷の変動に対応してスピンドルモーターの定格回転を維持することができなくなる場合がある。
【００６６】
そこで、上記課題を解決するために、本実施例に係る磁気ディスク装置１０は，低温状態で起動する際において、ＨＳＡ５０を磁気ディスク１１上にロードする前に、ホスト１５０がタイムアウトとならない範囲内で待ち時間を設け、その待ち時間におけるスピンドルモーター３０の回転によりスピンドルモーター自体を温め、潤滑流体の粘度を下げることにより、ＳＰＭドライバ１１１について十分な電圧マージンを確保する。
【００６７】
本発明の第一の実施形態について説明する。磁気ディスク装置１０が置かれた環境温度は、上記のディスク・エンクロージャ内にあるフレキシブルケーブル４５に搭載された温度センサにより知ることができる。環境温度の変化による潤滑流体の粘性の変化に起因するスピンドルモーター３０の回転抵抗の増加は、図７に示したデータより予測することが可能である。よって、磁気ディスク装置１０は起動時の環境が低温のときは、その環境温度に応じて、タイムアウトとならない範囲内で、スピンドルモーター３０が定格回転に達した後、ＨＳＡ５０のロード開始前の期間に待ち時間を設けることができる。この待ち時間はタイムアウトとならない範囲内で１秒から数秒程度の時間が設定される。スピンドルモーター３０は待ち時間の期間中、定格回転しているので温められ、これにより潤滑流体の粘度は低下し、スピンドルモーター３０の回転抵抗は顕著に低減することになる。
【００６８】
ここで、磁気ディスク装置１０は、起動時の環境温度により待ち時間を設ける必要性の有無を判断したり、待ち時間の長さを調整することができる。あらかじめ、環境温度と待ち時間の関係をテーブルにしたものをメモリ１０６に置いておき、起動時に参照することができる。
【００６９】
例えば、環境温度が０℃から５℃のときは待ち時間を５秒間に設定し、また、５℃から１０℃のときは、待ち時間を２秒間に設定し、１０℃より高いときには待ち時間を設けないようにする。
【００７０】
本発明の第二の実施形態について説明する。磁気ディスク装置１０は、磁気ディスク装置自身が置かれた環境温度に加えて、ホストから供給されている電圧（Ｖｃｃ）を知ることができる。起動時の環境が低温であり、さらに供給電圧が低い場合には、よりＳＰＭドライバ１１１について起動時の電圧マージンを確保することが難しくなる。よって、磁気ディスク装置１０は、起動時の環境温度と供給電圧の組合せに応じて、同様に、上記待ち時間を設ける必要性の有無を判断したり、待ち時間の長さを調整することができる。あらかじめ、環境温度と供給電圧の組合せと待ち時間の関係をマトリックスにしたものをメモリ１０６に置いておき、起動時に参照することができる。
【００７１】
例えば、環境温度が０℃から５℃であり、かつ、供給電圧が１０．８Ｖから１１．４Ｖのときは待ち時間を５秒間に設定する。また、同様に環境温度が０℃から５℃であっても、供給電圧が１１．４Ｖから１２．０Ｖのときは待ち時間を３秒間に設定する。さらに、環境温度が０℃から５℃であっても、供給電圧が１２．０Ｖより大きいときは待ち時間を１秒間に設定することができる。このように、環境温度と供給電圧を組合わせて待ち時間を設定することにより、必要以上に待ち時間を設けることなく、できるだけ早くＲＥＡＤＹを返すようにすることができる。
【００７２】
図８は、３．５インチ径ディスクを５枚搭載した磁気ディスク装置について、環境温度が低温（具体的には０℃）、かつ、供給電圧が低い（具体的には、１１．４Ｖ）のときのスピンドルモーターの起動の様子を示したデータである。図８（ａ）は、待ち時間が０秒である従来通りの起動であり、図８（ｂ）は、本発明により待ち時間を５秒間だけ設定したときの起動の様子を示している。グラフの左縦軸は、スピンドルモーターの回転数（単位：ｒｐｍ）、右縦軸は、ＳＰＭドライバ１１１内のＤＡＣ（不図示）のデューティー（単位：パーセント）を表し、横軸は電源ＯＮからの経過時間（単位：ミリ秒）（起動１６秒後から３０秒に達するまで）を表している。定格回転数は７２００ｒｐｍであり、磁気ディスク装置がＲＥＡＤＹとなるためには７２００ｒｐｍ±０．１パーセントで定格回転している必要があり、当該回転数の許容範囲が点線で示されている。データは、実線がスピンドルモーターの回転数を、網掛け太線がＤＡＣのデューティーを、それぞれ表している。
【００７３】
図８（ａ）では、アンロード状態でスピンドルモーターが７２００ｒｐｍに達し、上記の通りに安定したと判断されたと同時にＨＳＡ５０がロードされる。グラフ中の縦線は、左から、回転制御モード（ＰＩ制御）に切替わったタイミング（グラフ中にｓｔａｔｅ７と記載）、ＨＳＡ５０のロードを開始したタイミング（グラフ中にｌｏａｄ−ｓｔａｒｔと記載）、ＨＳＡ５０のロードが終了したタイミング（グラフ中にｌｏａｄ−ｃｏｍｐと記載）を示している。ＨＳＡ５０のロードによるスピンドルモーターの回転負荷の増大に対応して、スピンドルモーターの回転を維持しようとしてＳＰＭドライバ１１１内のＤＡＣのデューティーはＨＳＡ５０のロード終了後上昇を続け、ついには１００パーセントに達してしまっている。ＤＡＣのデューティーが１００パーセントの状態ではスピンドルモーターの回転を適切に制御することはできないので、スピンドルモーターの回転数は許容範囲を超えて不安定となり、７２００ｒｐｍに収束することができない。起動から２９秒後辺りで、スピンドルモーターの回転による潤滑流体の粘度の低下による回転負荷の減少により、回転制御ができる範囲内に回復するが、そこから定格回転数への収束が始まるので３０秒以内には定格回転数で安定することはできず、磁気ディスク装置はＲＥＡＤＹとなることはできない。
【００７４】
一方、図８（ｂ）では、アンロード状態でスピンドルモーター３０が７２００ｒｐｍに達し、上記の起動シーケンスに従って安定したと判断されると、５秒の待ち時間の後でＨＳＡ５０がロードされる。この５秒間でスピンドルモーター内の潤滑流体は温められ、その粘度は顕著に低下するため、スピンドルモーターの回転抵抗も顕著に低下する。その結果、ロードによる回転負荷の増大に対応して、スピンドルモーターの回転を維持しようとしてＳＰＭドライバ１１１内のＤＡＣのデューティーが上昇しても、ＳＰＭドライバ１１１の電圧マージンが確保できているので、８０パーセント程度に収まっている。よって、ロード後に一時的に回転数の許容範囲を越えかかっても、適切な制御ができるためスピンドルモーター３０の回転は許容範囲内で定格回転数に収束し、ＤＡＣのデューティーもロード後は４０パーセント程度で安定している。この場合において、タイムアウトが３０秒であれば、５秒間の待ち時間を設定しても、磁気ディスク装置１０は３０秒以内にＨＳＡ５０をロードし、スピンドルモーターは定格回転しているのでＲＥＡＤＹとなり、タイムアウトになることはない。
【００７５】
本発明の第三実施形態について説明する。磁気ディスク装置１０の置かれた環境温度が低温であるときや、磁気ディスク装置１０に供給される電圧が低い場合など、ＳＰＭドライバ１１１の電圧マージンを確保することが難しい場合は、起動からの時間に対するスピンドルモーターの回転上昇カーブの傾きが緩やかになってくる。そこで、上記の第一実施形態に示した環境温度や、第二実施形態に示した環境温度と供給電圧の組合せに替えて、スピンドルモーターの回転上昇カーブの傾き、すなわち回転数の上昇率をパラメーターとして、当該上昇率に応じて、待ち時間を設ける必要性の有無を判断したり、待ち時間の長さを調整することもできる。この際、カーブの傾きの求め方、その傾き、すなわち上昇率により、待ち時間を決定するプロセスはアルゴリズムとして表され、メモリ１０６に置かれた上で実行されることになる。
【００７６】
例えば、起動制御モードにおいて、スピンドルモーターの回転数が７０００ｒｐｍから７１５０ｒｐｍに達するまでに要する時間を測定し、時間が１秒以上かかっていれば、５秒間の待ち時間を設定する。また、同様に、スピンドルモーターの回転数が７０００ｒｐｍから７１５０ｒｐｍに達するまでに要する時間が０．７秒以上１．０秒未満のときは、待ち時間を３秒間に設定する。さらに、スピンドルモーターの回転数が７０００ｒｐｍから７１５０ｒｐｍに達するまでに要する時間が０．７秒以下であれば、待ち時間の設定はしないものとする、すなわち、待ち時間を０秒間に設定することができる。この場合において、スピンドルモーター駆動系から得られる情報だけを基にして上記判断をすることができるので、磁気ディスク装置１０の置かれた環境温度や供給電圧の測定は不要とすることもできる。
【００７７】
さらに、前記の環境温度、または前記の環境温度と供給電圧の組合せに、当該スピンドルモーターの回転数の上昇率を組み合わせてパラメーターとし、同様に、上記待ち時間を設ける必要性の有無を判断したり、待ち時間の長さを調整することも可能である。これにより、必要な待ち時間について、よりきめの細かい条件設定をすることができる。
【００７８】
スピンドルモーターのトルク定数は、製造工程のばらつきにより、一定の分布を持つので、トルク定数の高いスピンドルモーターを使用した磁気ディスク装置は回転数の上昇率も高い。例えば、環境温度が０℃から５℃であり、かつ、供給電圧が１０．８Ｖから１１．４Ｖのときであっても、スピンドルモーターの回転数が７０００ｒｐｍから７１５０ｒｐｍに達するまでに要する時間が０．７秒以上１．０秒未満のときは、待ち時間を５秒間ではなく、４秒間に設定する。これにより、必要な待ち時間の最適化を図ることができ、できるだけ早くＲＥＡＤＹを返すことができる。
【００７９】
本発明の第四実施形態について説明する。一般に磁気ディスク装置１０は起動時にリザーブエリア（システム情報が書き込まれた領域）を読みに行く。この際にも、通常のユーザーデータを読み込むときと同様にスピンドルモーター３０の回転数は７２００ｒｐｍ±０．１パーセントになっている必要がある。しかしながら、環境温度が低温で、かつ、供給電圧が低電圧の状態ではスピンドルモーターの回転精度が安定するまでに時間がかかったり、回転精度が不安定なこともある。そこで、スピンドルモーター起動後ある一定の期間に限ってリザーブエリアを読みに行く際の回転精度を緩和する。スピンドルモーターの回転精度を緩和することで、ユーザーデータを読み書きする際に必要な定格回転数の規定の範囲内に収まらない状態でもリザーブエリアに書き込まれたデータを読み出すことができ、ＲＥＡＤＹを返すことが可能となる。
【００８０】
例えば、リザーブエリアのデータを読み出す際には書き込む際には、リード／ライト・チャンネル１０４のリードゲートのタイミングの調節幅を、ユーザーデータの読み出しの際の調整幅の３倍とする。そうすることで、リザーブエリアのデータを読み出す際に限りスピンドルモーターの回転精度のばらつきの範囲は３倍、すなわち、７２００ｒｐｍ±０．３パーセントまで許容できるようになる。そうすることで、リザーブエリアにある必要なデータを読み出すことができれば、磁気ディスク装置はＲＥＡＤＹを返すことができる。スピンドルモーターが回転を続けている間に潤滑流体は温められるので、ある程度時間が経てばスピンドルモーターは定格回転（７２００ｒｐｍ±０．１パーセント）することができる。この場合、磁気ディスク装置がＲＥＡＤＹを返した後で、改めてスピンドルモーターが定格回転できているか否かをチェックした上で、ホストの命令に従ってユーザーデータの読み出し・書き込みを行えばよい。この際、上記の待ち時間を挿入することは不要となる。
【００８１】
この場合、前記の環境温度、または前記の環境温度と供給電圧の組合せ、および、それらに前記のスピンドルモーターの回転数の上昇率を組み合わせてパラメーターとして、リザーブエリアのデータを読み出す際のスピンドルモーターの回転精度を緩めるか否かの判断をすることができる。同様にして、スピンドルモーターの回転精度を緩和する際の許容範囲を決定することも可能である。
【００８２】
さらに、待ち時間の挿入とスピンドルモーターの回転精度の緩和を併用することで、より確実にタイムアウトしないでＲＥＡＤＹを返すことが可能となる。例えば、環境温度が０℃から５℃であり、かつ、供給電圧が１０．８Ｖから１１．４Ｖのときで、スピンドルモーターの回転数が７０００ｒｐｍから７１５０ｒｐｍに達するまでに要する時間が１．０秒以上のときに、待ち時間として５秒間を設定する。このとき、ホストとのタイムアウトの関係上５秒間以上の待ち時間を設定することができない場合、５秒間の待ち時間の後でも回転数が７２００ｒｐｍ±０．１パーセントの範囲で安定しておらず、リザーブエリアのデータを読み出すことができなければタイムアウトとなってしまう。この場合においても、読み出しの際のスピンドルモーターの回転精度を７２００ｒｐｍ±０．３パーセントに緩和すれば、データを読み出しに成功し、タイムアウトしないでＲＥＡＤＹを返すことができる。
【００８３】
上記の第一及び第二の実施形態は、ロード・アンロード機構を有する磁気ディスク装置について述べられてきたが、ロード・アンロード機構を有しないで、コンタクト・スタート・ストップする磁気ディスク装置においても適用可能である。その場合、スピンドルモーターが定格回転に達した後、ＲＥＡＤＹを返す前に、上記の待ち時間を設定してやればよい。同様に、第三及び第四の実施形態は、ロード・アンロード機構を有する磁気ディスク装置でも、コンタクト・スタート・ストップする磁気ディスク装置においても適用可能である。
【００８４】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００８５】
【図１】本実施の形態にかかる磁気ディスク装置の分解斜視図である。
【図２】本実施の形態にかかる磁気ディスク装置の平面図である。
【図３】本実施の形態にかかるスピンドルモーターと磁気ディスクおよび磁気ヘッドの断面図である。
【図４】本実施の形態にかかる磁気ディスク装置のブロック線図である。
【図５】本実施の形態にかかる磁気ディスク装置の起動シーケンスを表すフローチャートである。
【図６】本実施の形態にかかる磁気ディスク装置に使用されるスピンドルモーターの構造の実施例を示す平面図である。
【図７】本実施の形態にかかるスピンドルモーターに使用される潤滑流体の粘度の環境温度に対する変化を示すグラフである。
【図８】本実施の形態にかかる磁気ディスク装置の低温・低電圧におけるスピンドルモーターの起動状況を示すグラフである。
【符号の説明】
【００８６】
１０  磁気ディスク装置、１１  磁気ディスク、１２  ベース、１３  カバー、
１４  クランプ、１５  スペーサー、
２０  ディスク・エンクロージャ
３０  スピンドルモーター、３１  スラスト軸受部、３２スラストプレート、
３３  ラジアル軸受部、３４  ハブ、３５  ハウジング、３６  回転軸
４０  ヘッド・ジンバル・アセンブリ（ＨＧＡ）、４１  ヘッドスライダ、
４２  サスペンション、４５  フレキシブルケーブル、４６  温度センサ
５０  ヘッド・スタック・アセンブリ（ＨＳＡ）、５１  ピボットアセンブリ、
５２  キャリッジ、  ５３  ボイス・コイル・モーター（ＶＣＭ）、５４  アーム、
５５  コイルサポート、  ５６  フラットコイル、  ５７  ランプ
１００  コントローラ、  １０１  ＭＰＵ、  １０２  ハードディスク・コントローラ（ＨＤＣ）、  １０３  サーボ・コントローラ、  １０４  リード／ライト・チャンネル、１０５  ＡＤＣ  、１０６  メモリ、
１１０  モータ・ドライバ・ユニット、  １１１  ＳＰＭドライバ、  １１２  ＶＣＭドライバ、
１５０  ホスト。
【図１】
2008065909.tif 000003
【図２】
2008065909.tif 000004
【図３】
2008065909.tif 000005
【図４】
2008065909.tif 000006
【図５】
2008065909.tif 000007
【図６】
2008065909.tif 000008
【図７】
2008065909.tif 000009
【図８】
2008065909.tif 000010